(57)【要約】【課題】  ユーザが被写体の前に位置しキー操作により撮影作業を実行しなくても、タイマー制御により自動的に被写体の静止画像及び動画の撮影、音声録音、及びこれら画像データや音声データを指定先へ自動送信させることの可能な移動通信端末装置を提供する。【解決手段】  被写体の撮影を実行する撮像手段１１０と被写体の音声データの録音手段１０６とを具備する移動通信端末装置において、被写体を撮影及び録音する時間を設定する手段１０２、１０４と、被写体を撮影及び録音する時間を記憶する手段１２０ａと、被写体の撮影された画像データ及び録音された音声データの送信先及び送信する時間を記憶する手段１２０ａと、画像データ及び音声データを格納する手段１２０ｃ、１２０ｄと、画像データ及び音声データを他の移動通信端末装置に送信する手段１１４、１１８と、を備えることを特徴とする。【選択図】      図２
2005294880.tif 000002
【特許請求の範囲】
【請求項１】
被写体の撮影を実行する撮像手段と前記被写体の音声データの録音手段とを具備する移動通信端末装置において、
前記被写体を撮影及び録音する時間を設定する手段と、
前記被写体を撮影及び録音する時間を記憶する手段と、
前記被写体の撮影された画像データ及び録音された音声データの送信先及び送信する時間を記憶する手段と、
前記被写体の撮影された画像データ及び録音された音声データを格納する手段と、
前記画像データ及び音声データを他の移動通信端末装置に送信する手段と、
を備えることを特徴とする、移動通信端末装置。
【請求項２】
前記被写体を撮影及び録音する時間を設定する手段は、前記被写体の撮影時間の時間間隔及び日時を所望に設定可能であることを特徴とする、請求項１に記載の移動通信端末装置。
【請求項３】
前記画像データ及び音声データを他の移動通信端末装置に送信する手段は、予め設定した指定送信先へ自動的に送信可能であることを特徴とする、請求項１または２に記載の移動通信端末装置。
【請求項４】
前記画像データは、静止画像または動画であることを特徴とする、請求項１〜３のいずれか１項に記載の移動通信端末装置。
【請求項５】
前記撮像手段で撮影する際のシャッター音の有無を設定する手段を備えることを特徴とする、請求項１〜４のいずれか１項に記載の移動通信端末装置。
【発明の詳細な説明】
【技術分野】
【０００１】
本発明は、携帯電話機等の移動通信端末装置に係り、特にカメラ等の撮像手段を搭載する移動通信端末装置に関する。
【背景技術】
【０００２】
近年では、画像の撮影及び保存機能を有するカメラ付き携帯電話機等のカメラ搭載機器が急速に普及している。所望の時間、場所において自由に撮影ができる便利性に加えて、撮影した画像データや音声データを電話回線を通じて直ちに受信装置に送り、この受信装置で上記データを記録しておき、必要に応じて所定のデータを再生することができるようにした防犯携帯電話システムが開示されている（例えば、特許文献１を参照）。
【０００３】
しかしながら、上記特許文献１に開示されたカメラ搭載機器では、カメラ撮影の作業として、ユーザがカメラを起動させ液晶表示部に写る被写体を確認した後、キー操作部押下により撮影することが前提となっている。こうした中で、ユーザが被写体の前に位置しキー操作により撮影作業を実行しなくても、撮影したい時間に自動で撮影を実行し、その画像を別の端末に送信する事によって、撮影画像の確認を行える様にできれば、よりユーザの利便性が向上する。
【０００４】
このため、入力された撮影動作時間情報に従ってカメラの撮影動作を制御する制御手段を備え、この制御手段がカメラにより撮影がなされた場合、撮影された画像情報を予め指定された送信先アドレスにより特定される送信先に通信網を介して送信する移動端末装置が開示されている（例えば、特許文献２を参照）。
【０００５】
また、個人が所有して携行する携帯電話を利用し、公衆電話回線を介して音声を含む監視データを監視センターに転送し、監視センターと連携して個人の安全の監視を行うようにした携帯電話利用の監視システムが開示されている（例えば、特許文献３を参照）。
【０００６】
【特許文献１】特開平１１−０４１６６９号
【特許文献２】特開２００２−２４７２２３号
【特許文献３】特開２００３−１６３９２４号
【発明の開示】
【発明が解決しようとする課題】
【０００７】
しかしながら、特許文献２に開示されている移動端末装置は、上記の遠隔操作が可能なのは、画像に限定され、動画や音声に関しては、処理を施すには至らない。また、特許文献３に開示されている携帯電話利用の監視システムでは、被写体の側に人が待機していることが必要であり、ユーザが沿革から被写体の情報を入手することは、不可能であり、また使用目的がセキュリティー目的の監視システムに限定されている。
【０００８】
そこで、本発明は、従来の移動通信端末装置が有する上記問題点に鑑みてなされたものであり、本発明の目的は、ユーザが被写体の前に位置しキー操作により撮影作業を実行しなくても、タイマー制御により自動的に被写体の静止画像及び動画の撮影、音声録音、及びこれら画像データや音声データを指定先へ自動送信させることの可能な、新規かつ改良された移動通信端末装置を提供することである。
【課題を解決するための手段】
【０００９】
上記課題を解決するために、本発明のある観点によれば、被写体の撮影を実行する撮像手段と被写体の音声データの録音手段とを具備する移動通信端末装置において、被写体を撮影及び録音する時間を設定する手段と、被写体を撮影及び録音する時間を記憶する手段と、被写体の撮影された画像データ及び録音された音声データの送信先及び送信する時間を記憶する手段と、画像データ及び音声データを格納する手段と、画像データ及び音声データを他の移動通信端末装置に送信する手段と、を備えることを特徴とする、移動通信端末装置が提供される。
【００１０】
このとき、被写体を撮影及び録音する時間を設定する手段は、被写体の撮影時間の時間間隔及び日時を所望に設定することができることとしてもよい。
【００１１】
また、画像データ及び音声データを他の移動通信端末装置に送信する手段は、予め設定した指定送信先へ自動的に送信することができることとしてもよい。
【００１２】
さらに、画像データは、静止画像または動画であることとしてもよく、撮像手段で撮影する際のシャッター音の有無を設定する手段を備えることとしてもよい。
【００１３】
このような構成とすることにより、ユーザが被写体の前に位置して、キー操作により撮影作業を実行しなくても、タイマー制御による自動画像撮影及び録音が可能となり、また、撮影画像及び録音音声を指定先へ自動送信させることができる。このため、より安価で簡易なセキュリティーシステムが提供され、ユーザの撮像手段付き移動通信端末装置の使い勝手の向上が見込める。
【発明の効果】
【００１４】
以上説明したように本発明によれば、一定周期の撮影時間間隔や撮影日時指定が出来ることにより、ユーザが撮影動作を実行しなくても確認したい時間帯の被写体の情報が入手可能となる。
【００１５】
また、撮影後に予め指定しておいた送信先へ自動送信させる機能を付加することで、ユーザが被写体から離れた場所に位置していても、送信先となる撮影画像の受信及び表示が可能な通信端末機器により、オンタイムで被写体の情報が入手可能となる。
【００１６】
さらに、静止及び動画画像撮影に限定するのではなく、音声録音機能を自動で実行し、録音した音声データを指定送信先へ送るなども対応可能とすることにより、ユーザが入手したい情報の用途に応じて、操作モードを切り替えることが可能となる。このため、比較的短期間（数日間）における簡易セキュリティーや被写体の観察等に使用可能となる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
まず、本発明の第１実施形態における移動通信端末装置の構成について図面を使用しながら説明する。図１は、本発明の第１実施形態における移動通信端末装置であるカメラ付き携帯電話機の外観図であり、（ａ）は、本実施形態のカメラ付き携帯電話機の正面図であり、（ｂ）は、背面図である。
【００１９】
図１（ａ）に示すように、本実施形態のカメラ付き携帯電話機１００の正面側には、時間や各種設定画面、撮影画像、メールなどのテキスト文章等を表示させるＬＣＤ等の液晶画面で構成される表示部１０２と、ユーザが各種設定等を行うキー操作部１０４と、音声通話や音声録音の際に使用するマイク１０６と、通信相手の音声を出力するレシーバ１０８が設けられている。
【００２０】
また、図１（ｂ）に示すように、カメラ付き携帯電話機１００の背面側には、被写体を撮影する撮像手段となるカメラ１１０と、着信報知や音声データを再生させるスピーカ１１２が設けられている。さらに、携帯電話機１００の頂部には、音声またはパケット通信を行うための送受信用のアンテナ１１４が設けられている。なお、本実施形態では、スピーカ１１２は、カメラ付き携帯電話機１００の背面側に設けられているが、正面側に設けることとしてもよい。
【００２１】
次に、本実施形態における移動通信端末装置であるカメラ付き携帯電話機１００に備わる各構成要素間の回路構成について、図面を使用しながら説明する。図２は、本実施形態のカメラ付き携帯電話機１００の回路構成を説明するための内部ブロック図である。
【００２２】
本実施形態のカメラ付き携帯電話機１００の内部には、携帯電話機１００に設けられた各構成要素と接続され、これら各構成要素を統括的に制御する回路としての機能を有する制御部１１６が設けられている。
【００２３】
通信の際には、無線部１１８を介してアンテナ１１４で通信相手からの音声データを電波として受信し、制御部１１６を介してデジタル／アナログ変換された音声がレシーバ１０８から通信相手の音声として送出される。
【００２４】
逆に、マイク１０６へ入力されたユーザの音声は、制御部１１６を介してアナログ／デジタル変換され、無線部１１８を介してアンテナ１１４から電波として送信される。
【００２５】
また、キー操作部１０４を用いてユーザが入力したデータは、制御部１１６でどのようなデータであるかが解析され、その結果を表示部１０２にてユーザが視覚的に分かるように表示される。カメラ撮影の際には、カメラ１１０を通じて入力された画像が制御部１１６を介して、表示部１０２にカメラ１１０のファインダ機能として表示される。
【００２６】
さらに、着信があった場合やアラーム通知など音を発生させる状況が生じた場合は、制御部１１６において指定された音がスピーカ部１１２より鳴動される。
【００２７】
また、ユーザが設定を行ったユーザ設定データを記憶する記憶部（メモリ）１２０が設けられ、制御部１１６に接続されている。このメモリ１２０には、自動撮影／送信設定格納部１２０ａと、各種設定格納部１２０ｂと、撮影画像データ格納部１２０ｃと、音声データ格納部１２０ｄが備わる。
【００２８】
自動撮影／送信設定格納部１２０ａは、被写体を撮影する時間及び被写体の音声等を録音する時間を記憶する手段として機能し、また、被写体の撮影された画像データ及び被写体の録音された音声データを送信先及び送信する時間を記憶する手段としても機能する。
【００２９】
各種設定格納部１２０ｂは、本実施形態のカメラ付き携帯電話機１００に備わる他の機能に関するデータ等を格納する。
【００３０】
また、撮影画像データ格納部１２０ｃは、被写体の撮影された画像データを記憶する手段であり、音声データ格納部１２０ｄは、被写体の録音された音声データを記憶する。
【００３１】
本実施形態では、ユーザがキー操作部１０４と表示部１０２によって、タイマー制御にて自動で画像撮影し、撮影画像を指定した送信先へ送信する機能の設定（[設定のＯＮ／ＯＦＦ]、[自動撮影日時または定期撮影時間間隔及び実行回数]、[撮影画像送信先指定]）を行う。そして、この設定がメモリ１２０へ格納される。
【００３２】
また、制御部１１６は、携帯電話機１００に備わる時計１２２から随時入力されてくる時間データがメモリ１２０に格納されている自動撮影時間と一致した場合、カメラ１１０の電源及び制御信号の動作制御を行ってカメラ１１０を起動させ、撮影画像の取り込みを実行させる。更に、撮影された画像をフレーム毎にデジタル信号処理を行って撮影画像データとしてメモリ１２０に格納すると同時に、無線部１１８を介して予め設定しておいた指定送信先へ撮影画像を自動的に送信する制御を行う。
【００３３】
また、制御部１１６は、電源のＯＮ／ＯＦＦ、音声録音時のマイクパスＯＮ／ＯＦＦ制御、及び音声のＡ／Ｄ変換等のカメラ付き携帯電話機１００の全制御を行う。
【００３４】
次に、本実施形態のカメラ付き携帯電話機１００の動作について、図面を使用しながら詳細に説明する。図３は、本実施形態の携帯電話機１００の制御部１１６により実行されるタイマー制御によって自動で画像撮影して、撮影画像を指定した送信先へ送信する処理の動作手順を示すフローチャートである。
【００３５】
まず、ユーザがキー操作部１０４と表示部１０２により、ある一定の時間が経過すると自動で画像撮影する定期撮影時間間隔と、この制御を設定回数実行する実行回数、または○月○日○時○分に自動で画像撮影すると言った指定日時撮影（複数の日時を指定可能とする。）の時間設定を行う（ステップ１１）。
【００３６】
続いて撮影した画像データの送信先指定の入力を行い（ステップ１２）、画像自動撮影／送信タイマー設定をＯＮに設定する（ステップ１３）。上記３つのステップ（Ｓ１１、Ｓ１２、Ｓ１３）の設定は、メモリ１２０に格納される。
【００３７】
上記の各ステップＳ１１、Ｓ１２、Ｓ１３の設定が完了したら、ユーザは、撮影したい被写体の前にカメラ付き携帯電話機１００をセッティングする（ステップ１４）。
【００３８】
制御部１１６は、メモリ１２０及び時計１２２より随時入力される時間データから、画像自動撮影／送信タイマー設定がＯＮになっており、且つ設定時間間隔経過または指定日時になったことを検出すると（ステップ１５）、カメラ１１０を起動させ（ステップ１６）、被写体の画像撮影を実行する（ステップ１８）。なお、ステップ１６からステップ１８に移行する間に、プライバシー保護の関係上、撮影する際のシャッター音の有無を設定する手段により、画像撮影時にシャッター音をスピーカ１１２から流すことも可能とする（ステップ１７）。
【００３９】
制御部１１６は、撮影された画像を画像データとしてメモリ１２０に格納されると同時に、予め設定しておいた指定送信先へ撮影画像データを送信する（ステップ１９）。
【００４０】
ある一定の時間が経過すると自動で画像撮影する定期撮影モードに設定されている場合には（ステップ２０）、処理回数が設定回数に達したか否かを検出する（ステップ２１）。そして、処理回数が設定回数に達していない場合は、送信動作後に制御部１１６内にあるタイムカウンタ値を０に設定して、再度、指定時間間隔が経過後に本処理を実行し、設定回数に達した場合には、本処理を完了させる。
【００４１】
メモリ１２０で、○月○日○時○分に自動で画像撮影すると言う指定日時撮影モードに設定されおり、他の日時にも撮影が指定されている場合には、継続処理を行い（ステップ２２）、指定されていない場合には、本処理を完了させる。
【００４２】
以上のような動作工程により、送信された撮影画像を送信相手やユーザが別に所持している画像の受信及び表示が可能な移動通信端末装置によってすぐに内容の確認を行うことが可能となる。
【００４３】
以上、本実施形態のカメラ付き携帯電話機１００による画像の撮影について述べたが、本実施形態のカメラ付き携帯電話機１００は、静止画だけでなく動画の録画も可能である。また、画像撮影以外にも、被写体の音声データの録音手段にもなるマイク１０６による音声録音／音声データ送信についても同様の処理を実行することができる。以下、音声データの動作処理について説明する。
【００４４】
図４は、本実施形態の携帯電話機１００の制御部１１６により実行されるタイマー制御によってマイク１０６で音声録音をして、このときの音声データを指定した送信先へ送信する処理の動作手順を示すフローチャートである。
【００４５】
ユーザが、自動撮影／送信設定格納部１２０ａに予め設定した定期録音時間間隔または録音指定日時に自動で周囲の音声を録音し、その録音された音声データを指定した音声データの受信及び再生が可能な他の移動通信端末装置宛に送信させる機能である。
【００４６】
上記の処理について、図４に示すフローチャートに基づいて説明する。
【００４７】
まずユーザがキー操作部１０４により、ある一定の時間が経過すると自動で音声録音する定期録音時間間隔、この制御を設定回数実行する実行回数、または○月○日○時○分に自動で音声録音し、複数の日時を指定可能とする指定日時録音の時間設定を行う（ステップ４１）。続いて録音した音声データの送信先指定の入力を行う（ステップ４２）。更に、音声自動録音／送信タイマー設定をＯＮに設定する（ステップ４３）。上記３つの設定はメモリ１２０に格納される。
【００４８】
制御部１１６は、メモリ１２０及び時計１２２より随時入力される時間データから音声自動録音／送信タイマー設定がＯＮになっており、且つ設定時間間隔経過または指定日時になったことを検出すると（ステップ４４）、音声マイクパスをＯＮにし（ステップ４５）、周囲の音声録音を実行する（ステップ４７）。なお、ステップ４４からステップ４５に移行する間に、プライバシー保護の関係上、音声録音開始前に「ただ今から音声録音を開始します。」等のガイダンスをスピーカ１１２から流すことも可能とする（ステップ４６）。
【００４９】
制御部１１６は、録音された音声をＡ／Ｄ変換し、音声データとしてメモリ１２０に格納されると同時に、予め自動撮影／送信設定格納部１２０ａに設定しておいた指定送信先へ録音音声データを送信する（ステップ４８）。
【００５０】
ある一定の時間が経過すると、自動で音声録音する定期録音モードに設定されている場合には（ステップ４９）、処理回数が設定回数に達したか否かを検出し（ステップ５０）、達していない場合は、送信動作後に制御部１１６内にあるタイムカウンタ値を０にして、再度、指定時間間隔が経過後に本処理を実行し、設定回数に達した場合には、本処理を完了させる。
【００５１】
○月○日○時○分に自動で音声録音する指定日時録音モードに設定されおり、他の日時にも音声録音が指定されている場合には、継続処理を行い（ステップ５１）、指定されていない場合には、本処理を完了させる。
【００５２】
以上のような動作工程により、送信された録音音声データを、送信相手やユーザが別で所持している音声データの受信及び再生可能な移動通信端末装置ですぐに内容の確認を行うことが可能となる。
【００５３】
その他、カメラ付き携帯電話機１００の性能によっては、送信可能な容量範囲内であれば動画についても同様の音声データの処理を実行することも可能とする。
【００５４】
以上詳述したように、本実施形態では、ユーザが被写体の前に位置して、キー操作により撮影作業を実行しなくても、タイマー制御による自動画像撮影及び録音が可能となり、また、撮影画像及び録音音声を指定先へ自動送信させることができる。
【００５５】
このため、例えば、ユーザがちょっとした外出・２〜３日程度の短期間の外泊をした際に部屋の様子を確認したい場合に、ユーザが事前に設定したある任意の一定時間経過毎に、自動でカメラを起動させ部屋の状態を撮影し、その撮影した画像を予め指定しておいた、撮影画像の受信及び表示が可能な通信端末機器に送信させることによって、留守中の部屋の異常の有無を確認することが可能となる。
【００５６】
また、外泊時のペットの安否確認用や朝顔の成長日記等、短期間で必要とされる様々な状況でユーザがその場に居て操作を実行しなくても、タイマー制御により自動画像撮影／撮影画像を指定先へ自動送信させることで、ユーザが被写体から離れた場所で確認したい情報を入手できる。
【００５７】
さらに、タイマー制御により自動で被写体の画像撮影を行うとともに、撮影画像を受信及び表示が可能な別の移動通信端末装置に送信することで、ユーザが被写体から離れた場所に居ても被写体の状態を確認することができることにより、お年寄りの生活状態／安否確認等に用いることも可能となる。
【００５８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５９】
例えば、上記の各実施形態では、カメラ機能付きの携帯電話機に適用されているが、ＰＨＳやＰＤＡ等の他のカメラ機能付きの移動通信端末装置にも適用可能である。
【産業上の利用可能性】
【００６０】
本発明は、携帯電話機等の移動通信端末装置に適用可能であり、特にカメラ機能付きの移動通信端末装置に適用可能である。
【図面の簡単な説明】
【００６１】
【図１】本発明の第１実施形態における移動通信端末装置であるカメラ付き携帯電話機の外観図であり、（ａ）は、本実施形態のカメラ付き携帯電話機の正面図であり、（ｂ）は、背面図である。
【図２】同実施形態のカメラ付き携帯電話機の回路構成を説明するための内部ブロック図である。
【図３】同実施形態の携帯電話機の制御部により実行されるタイマー制御によって自動で画像撮影して、撮影画像を指定した送信先へ送信する処理の動作手順を示すフローチャートである。
【図４】同実施形態の携帯電話機の制御部により実行されるタイマー制御によってマイクで音声録音をして、このときの音声データを指定した送信先へ送信する処理の動作手順を示すフローチャートである。
【符号の説明】
【００６２】
１００    携帯電話機
１０２    表示部
１０４    キー操作部
１０６    マイク
１０８    レシーバ
１１０    カメラ
１１２    スピーカ
１１４    アンテナ
１１６    制御部
１１８    無線部
１２０    メモリ
１２２    時計
【図１】
2005294880.tif 000003
【図２】
2005294880.tif 000004
【図３】
2005294880.tif 000005
【図４】
2005294880.tif 000006